(57)【要約】【課題】身体に関する身体情報に基づいて使用者に適した操作条件を被操作装置に設定する操作条件設定システムにおいて、身体情報の入力の操作を簡素化し、被操作機器を速やかに使用者に適した状態に設定できるようにする。【解決手段】このスポーツジム内通信システム１において、管理用コンピュータ１０の制御部１１は、運動メニュー生成処理にて、個人情報データベース１５に記憶された身体情報を設定テーブルデータベース１７に記憶された設定テーブルと照合することにより被操作機器の運動メニューを決定し、この決定した運動メニューを運動メニューデータベース１６に記憶する。また、運動用器具３０ａの運動処理部３１は、運動処理にて、カード読書部２２，３２，４２により識別情報が読み取られると、運動メニューデータベース１６からこの識別情報に対応する操作条件を読み出し、この読み出した操作条件を被操作装置に対して設定する。【選択図】図５
2007105386.tif 000002
【特許請求の範囲】
【請求項１】
複数の使用者により順次操作される被操作装置に配置され、該被操作装置を使用する各使用者が各々所持し且つ各使用者を特定するための識別情報が記憶された識別媒体から使用者の識別情報を読み取る識別情報読取手段と、
前記被操作装置を使用する各使用者の身体に関する身体情報を記憶した身体情報記憶手段と、
前記身体情報に基づいてこの使用者に適した被操作機器を操作する際の操作条件を一義的に決定するための設定テーブルを記憶した設定テーブル記憶手段と、
前記各使用者が前記被操作装置を操作する際の操作条件、および前記各使用者の識別情報を各々対応させて記憶した操作条件記憶手段と、
前記身体情報記憶手段に記憶された身体情報を前記設定テーブル記憶手段に記憶された設定テーブルと照合することにより前記被操作機器の操作条件を決定し、該決定した操作条件を前記操作条件記憶手段に記憶させる操作条件記憶制御手段と、
前記識別情報読取手段により前記識別情報が読み取られると、前記操作条件記憶手段から該識別情報に対応する操作条件を読み出し、該読み出した操作条件を前記被操作装置に対して設定する設定手段と、
を備えたことを特徴とする操作条件設定システム。
【請求項２】
前記識別情報読取手段により前記識別情報が読み取られてから、前記被操作装置の操作を終了するまでの間における前記被操作装置の作動状態を記憶する作動状態記憶手段と、
前記各使用者による前記被操作機器の使用履歴を記憶するための使用履歴記憶手段と、
前記識別情報読取手段により前記識別情報が再度読み取られると、前記作動状態記憶手段に記憶された作動状態、および前記識別情報読取手段により前記識別情報が再度読み取られた日を、前記識別情報に対応させて、前記使用履歴として前記使用履歴記憶手段に記憶させる使用履歴記憶制御手段と、
を備えたことを特徴とする請求項１に記載の操作条件設定システム。
【請求項３】
前記設定テーブル記憶手段に記憶された設定テーブルは、前記身体情報記憶手段に記憶された身体情報と、前記使用履歴記憶手段に記憶された使用履歴と、の組み合わせに基づいて、この使用者に適した被操作機器の操作条件を決定可能に構成されており、
前記操作条件記憶制御手段は、前記身体情報記憶手段に記憶された身体情報と、前記使用履歴記憶手段に記憶された使用履歴と、を前記設定テーブル記憶手段に記憶された設定テーブルと照合することにより前記被操作機器の操作条件を決定し、該決定した操作条件を前記操作条件記憶手段に記憶し直すこと
を特徴とする請求項２に記載の操作条件設定システム。
【請求項４】
前記操作条件記憶制御手段により操作条件が前記操作条件記憶手段に記憶されると、該操作条件を予め設定された使用者の連絡先に送信する送信手段を備えたことを特徴とする請求項１〜請求項３の何れかに記載の操作条件設定システム。
【発明の詳細な説明】
【技術分野】
【０００１】
本発明は、複数の使用者により操作される被操作機器に対して使用者に適した操作条件を設定する操作条件設定システムに関する。
【背景技術】
【０００２】
従来より、使用者の体型を基準として運動負荷を設定するエアロビック運動器具が知られている（例えば、特許文献１参照）。
このエアロビック運動器具においては、この器具において測定または入力された身体に関するデータに基づいて、使用者が目標の体型となるような運動負荷を設定し、この運動負荷をエアロビック運動器具に設定する。
【特許文献１】特開２００４−１５４５８９号公報
【発明の開示】
【発明が解決しようとする課題】
【０００３】
しかしながら、上記エアロビック運動器具では、運動器具を使用する度に身体に関するデータ（身体情報）を入力する必要があるため、多くの器具を使用する際にはその都度データを入力しなければならない。このため、このデータ入力操作が面倒であるとともに、この器具を使用者に適した状態に設定するまでに時間がかかるという問題点があった。
【０００４】
ここで、このような問題点は、身体に関する身体情報に基づいて使用者に適した操作条件を被操作装置に設定する操作条件設定システムであれば、同様に発生しうる問題点である。
【０００５】
そこで、このような問題点を鑑み、身体に関する身体情報に基づいて使用者に適した操作条件を被操作装置に設定する操作条件設定システムにおいて、身体情報の入力の操作を簡素化し、被操作機器を速やかに使用者に適した状態に設定できるようにすることを本発明の目的とする。
【課題を解決するための手段】
【０００６】
かかる目的を達成するために成された請求項１に記載の操作条件設定システムは、
複数の使用者により順次操作される被操作装置に配置され、該被操作装置を使用する各使用者が各々所持し且つ各使用者を特定するための識別情報が記憶された識別媒体から使用者の識別情報を読み取る識別情報読取手段と、
前記被操作装置を使用する各使用者の身体に関する身体情報を記憶した身体情報記憶手段と、
前記身体情報に基づいてこの使用者に適した被操作機器の操作条件を一義的に決定するための設定テーブルを記憶した設定テーブル記憶手段と、
前記各使用者が前記被操作装置を操作する際の操作条件、および前記各使用者の識別情報を各々対応させて記憶した操作条件記憶手段と、
前記身体情報記憶手段に記憶された身体情報を前記設定テーブル記憶手段に記憶された設定テーブルと照合することにより前記被操作機器の操作条件を決定し、該決定した操作条件を前記操作条件記憶手段に記憶する操作条件記憶制御手段と、
前記識別情報読取手段により前記識別情報が読み取られると、前記操作条件記憶手段から該識別情報に対応する操作条件を読み出し、該読み出した操作条件を前記被操作装置に対して設定する設定手段と、
を備えたことを特徴としている。
【０００７】
即ち、被操作機器は、他の使用者により設定が変更されていたとしても、設定手段は識別情報読取手段により識別情報が読み取られると、識別情報に対応して記憶された操作条件を被操作機器に設定する。このとき、被操作機器に設定される操作条件は各使用者の身体情報に基づいて決定される。
【０００８】
従って、このような操作条件設定システムによれば、使用者に対応する操作条件を被操作装置に設定することができる。このため使用者は自己が好む動作環境ですぐに被操作機器を使用することができる。よって、身体情報の入力を簡素化することができる。
【０００９】
また、被操作機器に対して各使用者の身体の状態に応じて設定を行うので、例えば、使用者の体格や体調に応じて、使用者に過度の負担を掛けないようにすることができる。
なお、本発明でいう身体情報とは、使用者の身体に関する情報であれば何でもよく、例えば、使用者の健康診断結果（身長、体重、血圧、脈拍、年齢等）や、体力検査結果（筋力、持久力等）が挙げられる。
【００１０】
ところで、請求項１に記載の操作条件設定システムにおいては、請求項２に記載のように、
前記識別情報読取手段により前記識別情報が読み取られてから、前記被操作装置の操作を終了するまでの間における前記被操作装置の作動状態を記憶する作動状態記憶手段と、
前記各使用者による前記被操作機器の使用履歴を記憶するための使用履歴記憶手段と、
前記識別情報読取手段により前記識別情報が再度読み取られると、前記作動状態記憶手段に記憶された作動状態、および前記識別情報読取手段により前記識別情報が再度読み取られた日を、前記識別情報に対応させて、前記使用履歴として前記使用履歴記憶手段に記憶させる使用履歴記憶制御手段と、
を備えていることが望ましい。
【００１１】
このような操作条件設定システムによれば、使用履歴記憶手段を確認するだけで容易に各使用者による被操作機器の使用履歴を把握することができる。
【００１２】
加えて、請求項２に記載の操作条件設定システムにおいては、請求項３に記載のように、
前記設定テーブル記憶手段に記憶された設定テーブルは、前記身体情報記憶手段に記憶された身体情報と、前記使用履歴記憶手段に記憶された使用履歴と、の組み合わせに基づいて、この使用者に適した被操作機器の操作条件を決定可能に構成されており、
前記操作条件記憶制御手段は、前記身体情報記憶手段に記憶された身体情報と、前記使用履歴記憶手段に記憶された使用履歴と、を前記設定テーブル記憶手段に記憶された設定テーブルと照合することにより前記被操作機器の操作条件を決定し、該決定した操作条件を前記操作条件記憶手段に記憶し直すこと
が望ましい。
【００１３】
このような操作条件設定システムによれば、身体情報と使用履歴とに基づいて操作条件を決定することができるので、各使用者の体力や筋力の変化に対応した操作条件とすることができる。
【００１４】
また、請求項１〜請求項３の何れかに記載の操作条件設定システムにおいては、
前記操作条件記憶制御手段により操作条件が前記操作条件記憶手段に記憶されると、該操作条件を予め設定された使用者の連絡先に送信する送信手段を備えていること
が望ましい。
【００１５】
このような操作条件設定システムによれば、次回被操作装置に設定される操作条件を予め使用者に連絡することができるので、使用者は事前に操作条件を把握することができる。よって使用者は、次回被操作装置を使用する際により円滑に被操作装置を使用することができる。
【発明を実施するための最良の形態】
【００１６】
以下に本発明にかかる実施の形態を図面と共に説明する。
図１は本発明の操作条件設定システムが適用されたスポーツジム内通信システム１（以下、通信システム１ともいう）の概略構成を示すブロック図である。
【００１７】
この通信システム１は、ＩＣカードを所持した使用者が後述する各装置が配置された場所に移動しながら、入退場のための手続や、器具を用いた運動等を行うことができるよう構成されている。
【００１８】
即ち、図１に示すように、通信システム１は、管理用コンピュータ１０と、身体情報測定用器具２０と、運動用器具３０ａ〜３０ｆ（身体情報測定用器具２０とともに、本発明でいう被操作装置）と、受付用端末装置４０とが、共通の通信線５に接続され、互いに通信可能にされている。なお、通信線５は、図示しない中継装置（例えばゲートウェイ等）を介してインターネット網等の広域ネットワーク網に接続されている。
【００１９】
管理用コンピュータ１０は、この通信システム１を総合的に管理するために配置されており、制御部１１と、使用者による外部操作を受け付ける操作部１３と、各種データを記憶する各データベース（ＤＢ）１５〜１７と、通信線５を介して外部の装置と通信を行うための通信部１９と、を備えている。
【００２０】
制御部１１は、ＣＰＵ、ＲＯＭ、ＲＡＭ等を備えた公知のマイクロコンピュータとして構成されている。また、制御部１１は、操作部１３や通信部１９を介して入力された外部指令に基づいて、各データベース１５〜１７に記憶されたデータを読み書きする等の処理（例えば後述する管理処理等）を行う。
【００２１】
各データベース１５〜１７としては、個人情報データベース１５（本発明でいう身体情報記憶手段および使用履歴記憶手段）、運動メニューデータベース１６（本発明でいう設定条件記憶手段）、および設定テーブルデータベース１７（本発明でいう設定テーブル記憶手段）を備えている。
【００２２】
個人情報データベース１５には、個人情報として、個人名（氏名）、識別情報（ＩＤ）、登録コース（例えばジムを使用することができる時間帯によって識別されるもの）、メールアドレス等の連絡先、後述する測定処理にて測定された使用者の体格や健康状態を測定した測定情報がそれぞれ関連付けて記憶されている。
【００２３】
運動メニューデータベース１６には、識別情報（ＩＤ）、および運動メニューのデータ（以下、単に運動メニューともいう）が関連付けて記憶されている。
設定テーブルデータベース１７には、運動負荷や運動量を決定する際に参照される設定テーブルが記憶されており、より具体的には、肥満度と血圧データとに基づいて運動用器具３０ａ〜３０ｆに設定される運動負荷を一義的に決定するための設定テーブルと、使用者の年齢と１ヶ月間の総運動量とに基づいて、運動用器具に設定される運動量を決定するための設定テーブルとが記憶されている（詳しくは運動メニュー生成処理（図７）参照）。
【００２４】
次に、身体情報測定用器具２０は、測定処理部２１と、各使用者が所持するＩＣカード（本発明でいう識別媒体）に対して読み書きを行うカード読書部２２（本発明でいう識別情報読取手段）と、使用者による外部操作を受け付ける操作部２３と、ディスプレイとして構成された表示部２４と、使用者の身体情報の測定を行う複数の測定部２５と、通信線５を介して外部の装置と通信を行うための通信部２９と、を備えている。
【００２５】
測定処理部２１は、ＣＰＵ、ＲＯＭ、ＲＡＭ等を備えた公知のマイクロコンピュータとして構成されている。そして、測定処理部２１は、操作部２３や通信部２９を介して入力された外部指令に基づいて、各測定部２５を用いて使用者の身体情報（使用者の身体に関する情報：身長、体重、血圧、脈拍、年齢、体脂肪率、筋力、持久力等の健康状態の指標となる情報）を測定し、この測定結果を管理用コンピュータ１０に送信する等の処理（例えば、後述する測定処理等）を実行する。
【００２６】
ここで、測定部２５としては、例えば、体重計、体脂肪計、血圧計等の身体情報を測定するための器具が該当し、各測定部２５は、制御部１１からの指令に基づいて各種測定を行い、この測定結果を制御部１１に送信するよう構成されている。
【００２７】
次に、運動用器具３０ａは、運動処理部３１と、各使用者が所持するＩＣカードに対して読み書きを行うカード読書部３２（本発明でいう識別情報読取手段）と、使用者による外部操作を受け付ける操作部３３と、ディスプレイとして構成された表示部３４と、使用者がこの運動用器具３０ａを使用する際の負荷を設定するための負荷設定用アクチュエータ３６と、通信線５を介して外部の装置と通信を行うための通信部３９と、を備えている。
【００２８】
運動処理部３１は、ＣＰＵ、ＲＯＭ、ＲＡＭ（本発明でいう使用履歴記憶手段）等を備えた公知のマイクロコンピュータとして構成されている。そして、運動処理部３１は、操作部３３や通信部３９を介して入力された外部指令に基づいて、負荷設定用アクチュエータ２６を駆動し、使用者に適した負荷を設定する処理を実行すると共に、使用者が器具の使用を終了すると、その運動量のデータを管理用コンピュータ１０に送信する等の処理（例えば、後述する運動処理等）を実行する。
【００２９】
なお、運動用器具３０ｂ〜３０ｆについては、運動用器具の種類（例えば、自転車タイプや、ベルトの上を歩行または走行するタイプ等）によって負荷設定用アクチュエータ３６等の構成は異なるものの、運動処理部３１が実行する処理は同様のものであるので、ここでは説明を省略する。
【００３０】
次に、受付用端末装置４０は、受付処理部４１と、各使用者が所持するＩＣカードに対して読み書きを行うカード読書部４２（本発明でいう識別情報読取手段）と、使用者による外部操作を受け付ける操作部４３と、ディスプレイとして構成された表示部４４と、通信線５を介して外部の装置と通信を行うための通信部４９と、を備えている。
【００３１】
受付処理部４１は、ＣＰＵ、ＲＯＭ、ＲＡＭ等を備えた公知のマイクロコンピュータとして構成されている。そして、受付処理部４１は、操作部４３や通信部４９を介して入力された外部指令に基づいて、使用者がこの施設に入退場する際の受付手続を行うとともに、使用者に適した運動メニューを提示する等の処理（例えば、後述する受付処理等）を実行する。
【００３２】
ここで、使用者は、スポーツジムにおいて、入退場の手続（つまり受付）を行う際には、受付用端末装置４０の場所に行き、カード読書部４２にこの使用者が所持するＩＣカードを読み取らせる等の操作を行うことになる。このときの処理について、図２および図３を用いて説明する。図２は受付用端末装置４０の受付処理部４１（ＣＰＵ）が実行する受付処理を示すフローチャート、図３は受付処理におけるデータ取得処理を示すフローチャートである。
【００３３】
図２に示す受付処理は、受付用端末装置４０の電源が投入されているときに定期的に実行される処理であって、まず、カード読書部４２に使用者のＩＣカードがあるか否か（セットされているか否か）を判定する（Ｓ１０）。カード読書部４２にＩＣカードがなければ（Ｓ１０：Ｎｏ）、Ｓ１０の処理を繰り返す。また、カード読書部４２にＩＣカードがあれば（Ｓ１０：Ｙｅｓ）、データ取得処理（Ｓ２０）を実行する。
【００３４】
ここで、データ取得処理は、ＩＣカードに記載された識別情報を認識し、管理用コンピュータからこの識別情報に対応したデータを取得するための処理である。
具体的には、このデータ取得処理は、図３に示すように、まず、カード読書部４２にセットされているＩＣカードから使用者を特定するための識別情報を読み取る（Ｓ３１０）。そして、読み取った情報にエラーがあるか否かを判定する（Ｓ３２０）。読み取りエラーがあれば（Ｓ３２０：Ｙｅｓ）、受付処理部４１のＲＡＭ内の所定の記憶領域にエラーフラグをセットし（Ｓ３７０）、データ取得処理を終了する。
【００３５】
また、読み取りエラーがなければ（Ｓ３２０：Ｎｏ）、通信部４９を介して管理用コンピュータ１０に読み取った識別情報を送信する（Ｓ３３０）。
ところで、管理用コンピュータ１０においては、図６に示す管理処理を実行している。この管理処理は、管理用コンピュータ１０の制御部１１により常時繰り返し実行される処理であって、主に通信部１９を介して入力される外部指令に基づいて、様々な処理を実行するものである。
【００３６】
即ち、管理処理においては、受付用端末装置４０からのアクセスがあったか否かの判定（Ｓ８１０）、身体情報測定用器具２０からのアクセスがあったか否かの判定（Ｓ９５０）、および運動用器具３０ａ〜３０ｆの何れかからのアクセスがあったか否かの判定（Ｓ１０２０）を繰り返し実行する。そして、何れかの装置からのアクセスがあった場合には、受信したデータの内容を判定し、この判定結果に応じた処理を実行する。
【００３７】
ここで、管理用コンピュータ１０は、前述のデータ取得処理（図３）にて、受付用端末装置４０から識別情報を受信している（Ｓ３３０）。このため、管理用コンピュータ１０は、管理処理にて、受付用端末装置４０からのアクセスありと判定され（Ｓ８１０：Ｙｅｓ）、Ｓ８２０における識別情報のみを受信したか否かを判定する処理では、識別情報のみを受信したと判定される（Ｓ８２０：Ｙｅｓ）。
【００３８】
この場合において制御部１１は、個人情報、測定情報、使用者が運動中であることを表す運動中フラグを個人情報データベース１５から読み出すと共に、この使用者に推奨する運動メニューを運動メニューデータベース１６から読み出す（Ｓ８３０）。なお、この運動メニューについては、後述する運動メニュー生成処理にて生成されることになるが、ここではその処理についての説明は省略する。
【００３９】
そして、各データベース１５，１６から読み出したデータを受付用端末装置４０に送信し（Ｓ８４０）、Ｓ８５０以下の処理を実行する。なお、Ｓ８５０以下の処理については追って説明することとし、一旦データ取得処理（図３）に戻る。
【００４０】
データ取得処理において、通信部４９を介して管理用コンピュータ１０に読み取った識別情報を送信した（Ｓ３３０）後には、所定時間内（例えば１秒程度）に管理用コンピュータ１０からのデータ（ここでは個人情報、測定情報、および運動メニュー）を受信したか否かを判定する（Ｓ３４０）。所定時間内に管理用コンピュータ１０からのデータを受信していれば（Ｓ３４０：Ｙｅｓ）、受信したデータが正常であるか否かを判定する（Ｓ３５０）。
【００４１】
受信したデータが正常であれば（Ｓ３５０：Ｙｅｓ）、受付処理部４１のＲＡＭ内の所定の記憶領域にエラーフラグをクリアし（Ｓ３６０）、データ取得処理を終了する。
一方、所定時間内に管理用コンピュータ１０からのデータを受信できていない場合（Ｓ３４０：Ｎｏ）や、受信したデータに異常がある場合には（Ｓ３５０：Ｎｏ）、受付処理部４１のＲＡＭ内の所定の記憶領域にエラーフラグをセットし（Ｓ３７０）、データ取得処理を終了する。
【００４２】
このようにデータ取得処理（受付処理（図２）のＳ２０）を終了すると、受付処理部４１のＲＡＭ内のエラーフラグを参照することにより、データ取得処理が正常に実行されたか否かを判定する（Ｓ３０）。データ取得処理が正常に実行されていなければ（Ｓ３０：Ｎｏ、つまりエラーフラグがセットされていれば）、受付処理を初め（Ｓ１０）から再実行する。また、データ取得処理が正常に実行されていれば（Ｓ３０：Ｙｅｓ、つまりエラーフラグがクリアされていれば）、表示部４４に使用者の氏名、識別情報、登録コース等の個人情報を表示させる（Ｓ４０）。
【００４３】
そして、取得した運動中フラグがセットされている状態であるか否かを判定する（Ｓ５０）。ここで、運動中フラグがセットされている状態は、既に使用者がスポーツジムに入場済みであって、これから退場するための手続や、追加の運動をするための手続をするために受付用端末装置４０を操作しているものと考えられる。また、運動中フラグがクリアされている状態は、使用者がこれからスポーツジムに入場するための手続を行うために受付用端末装置４０を操作しているものと考えられる。
【００４４】
従って、運動中フラグがクリアされていれば（Ｓ５０：Ｎｏ）、使用者に適した運動メニューを設定する処理（Ｓ１２０以下の処理）を実行するためにＳ１２０に移行する。
一方、運動中フラグがセットされていれば（Ｓ５０：Ｙｅｓ）、表示部４４に運動を終了するか（つまりスポーツジムから退場するか）否かを使用者に問い合わせるための画像を表示させる（Ｓ６０）。
【００４５】
そして、何らかの指令が操作部４３を介して使用者により入力されたか否かを判定する（Ｓ７０）。使用者により何も入力されていなければ（Ｓ７０：Ｎｏ）、Ｓ７０の処理を繰り返す。また、使用者により終了するとの指令が入力されれば（Ｓ７０：終了する）、運動中フラグをクリアするよう管理用コンピュータ１０に対して要求する（Ｓ８０）。
【００４６】
そして、カード読書部４２を介してＩＣカードに記録されている運動メニューをクリアし（Ｓ８５）、受付処理を終了する。
また、使用者により終了しないとの指令が入力されれば（Ｓ７０：終了しない）、追加メニュー（運動メニュー）を生成するよう管理用コンピュータ１０に対して要求する（Ｓ９０）。
【００４７】
ここで、管理用コンピュータ１０は、管理処理（図６）において、追加メニューの生成要求を受けた場合には、受付用端末装置４０からのアクセスがあったか否かの判定で肯定判定され（Ｓ８１０：Ｙｅｓ）、次いで、受信したデータが識別情報であるか否かの判定で否定判定されることにより（Ｓ８２０：Ｎｏ）、Ｓ８５０の処理に移行する。
【００４８】
そしてこの処理では、追加メニューの生成要求を受信したか否かを判定し（Ｓ８５０）、この場合には肯定判定される（Ｓ８５０：Ｙｅｓ）。
すると、追加メニューを生成する際にセットされる追加フラグを制御部１１のＲＡＭ内にセットし（Ｓ８６０）、運動メニュー生成処理（Ｓ８７０）を実行する。この運動メニュー生成処理は、使用者の個人情報や測定情報に基づいて、使用者に適した運動メニューを複数生成する処理である。なお、この処理については後に詳述する（図７参照）。
【００４９】
この運動メニュー生成処理（Ｓ８７０）が終了すると、生成した運動メニューを追加メニューとして受付用端末装置４０に送信し（Ｓ８８０）、Ｓ８９０以下の処理を実行する。
【００５０】
また、受付処理（図２）のＳ８０にて運動中フラグをクリアするよう要求を受けた場合には、管理用コンピュータ１０は、管理処理（図６）のＳ９２０〜Ｓ９３０の処理を実行する。
【００５１】
即ち、管理処理（図６）において、受付用端末装置４０からのアクセスがあったか否かの判定で肯定判定され（Ｓ８１０：Ｙｅｓ）、次いで、受信したデータが識別情報であるか否かの判定（Ｓ８２０：Ｎｏ）、追加メニューの生成要求を受信したか否かの判定（Ｓ８５０：Ｎｏ）、および運動中フラグをセットする旨の要求を受けたか否かの判定（Ｓ８９０：Ｎｏ）で否定判定されることによりＳ９１０の処理に移行する。
【００５２】
そしてこの処理では、運動中フラグをクリアするよう要求を受けたか否かを判定し（Ｓ９１０）、この場合には肯定判定される（Ｓ９１０：Ｙｅｓ）。
すると、ＲＡＭ内において、この識別情報に対応する運動中フラグをクリアし（Ｓ９２０）、運動メニュー生成処理（Ｓ９３０、図７参照）を実行し、Ｓ９５０以下の処理を実行する。
【００５３】
再び、図２に示す受付処理に戻り、追加メニューの生成要求後（Ｓ９０）、所定時間内（例えば１秒程度）に管理用コンピュータ１０からの追加メニューのデータを受信したか否かを判定する（Ｓ１００）。所定時間内に管理用コンピュータ１０からのデータを受信していれば（Ｓ１００：Ｙｅｓ）、受信したデータが正常であるか否かを判定する（Ｓ１１０）。
【００５４】
受信したデータが正常であれば（Ｓ１１０：Ｙｅｓ）、Ｓ１２０に移行し、所定時間内に管理用コンピュータ１０からのデータを受信できていない場合（Ｓ１００：Ｎｏ）や、受信したデータに異常がある場合には（Ｓ１１０：Ｎｏ）、Ｓ９０に戻り再び追加メニューの生成要求を行う。
【００５５】
次に、Ｓ１２０の処理では、Ｓ２０の処理、またはＳ９０とＳ１００との間の処理にて受信した推奨する運動メニューを表示部４４に表示させる（Ｓ１２０）。なお、このとき、表示する運動メニューのデータが存在しない場合には、身体情報測定用器具２０を用いて身体情報を測定するためのメニュー（予め受付処理部４１のＲＯＭ等に格納）を運動メニューとして表示部４４に表示させる。
【００５６】
また、この表示と共に、管理用メニューも表示させる（Ｓ１３０）。なお、この管理用メニューとは、運動メニューを手動で修正する場合や、個人情報を変更する場合等に選択される。
【００５７】
そして、表示部４４に表示させたメニューのうちの何れかが操作部４３を介して選択されたか否かを判定する（Ｓ１４０）。何れのメニューも選択されていなければ（Ｓ１４０：Ｎｏ）Ｓ１４０の処理を繰り返す。
【００５８】
また、何れかのメニューが選択されていれば（Ｓ１４０：Ｙｅｓ）、管理用メニューが選択されたか否かを判定する（Ｓ１５０）。管理用メニューが選択されていれば（Ｓ１５０：Ｙｅｓ）、さらに詳細なメニューを表示させるなどし、最終的に選択された内容に応じた処理を行い（Ｓ１６０）、受付処理を終了する。
【００５９】
また、管理用メニューが選択されていなければ（Ｓ１５０：Ｎｏ、つまり運動メニューが選択されていれば）、選択された運動メニューを、カード読書部４２を介してＩＣカードに書き込む（Ｓ１７０）。
【００６０】
そして、使用者に初めに使用させる器具の位置を表示部４４に表示させる（Ｓ１８０）。特に、身体情報を測定させるためのメニュー（運動メニュー）が表示された場合には、ここでは身体情報測定用器具２０の位置が表示される。
【００６１】
次いで、運動中フラグをセットするよう管理用コンピュータ１０に対して要求し（Ｓ１９０）、受付処理を終了する。
ここで、管理用コンピュータ１０は、管理処理（図６）において、運動中フラグをセットするよう要求を受けた場合には、受付用端末装置４０からのアクセスがあったか否かの判定で肯定判定され（Ｓ８１０：Ｙｅｓ）、次いで、受信したデータが識別情報であるか否かの判定（Ｓ８２０：Ｎｏ）、および追加メニューの生成要求を受信したか否かの判定（Ｓ８５０：Ｎｏ）で否定判定されることによりＳ８９０の処理に移行する。
【００６２】
そしてこの処理では、運動中フラグをセットする旨の要求を受けたか否かを判定し（Ｓ８９０）、この場合には肯定判定される（Ｓ８９０：Ｙｅｓ）。
すると、識別情報に対応する運動中フラグを制御部１１のＲＡＭ内にセットし（Ｓ９０００）、Ｓ９１０以下の処理を実行する。
【００６３】
次に、前述の受付処理において身体情報測定用器具２０に行くよう案内された場合には、使用者は身体情報測定用器具２０が配置された場所に向かうことになる。そして、使用者は、身体情報測定用器具２０のカード読書部２２に自己のＩＣカードをセットし、身体情報の測定を開始することになる。そして、この身体情報は、各測定部２５によりそれぞれ測定されることになる。
【００６４】
ここで、測定処理部２１では、図４に示すような処理が実行される。図４は測定処理部２１が実行する測定処理を示すフローチャートである。
図４に示す測定処理では、身体情報測定用器具２０の電源が投入されているときに定期的に実行される処理であって、まず、Ｓ４１０〜Ｓ４３０にて、図２に示す受付処理と同等の処理を実行する。つまり、カード読書部２２にセットされたＩＣカードに記録された識別情報に基づいて、管理用コンピュータ１０からデータを取得する処理を行う。このとき、身体情報測定用器具２０のカード読書部２２、操作部２３、表示部２４、通信部２９は、受付処理（図２）のＳ１０〜Ｓ３０における受付用端末装置４０の各部と同様に機能する。
【００６５】
ここで、データ取得処理（Ｓ４２０）のＳ３３０の処理が実行されると、管理用コンピュータ１０は、管理処理（図６）において、受付用端末装置４０からのアクセスがあったか否かの判定で否定判定され（Ｓ８１０：Ｎｏ）、身体情報測定用器具２０からのアクセスがあったか否かの判定で肯定判定されることにより（Ｓ９５０：Ｙｅｓ）、Ｓ９６０の処理に移行する。
【００６６】
そしてこの処理では、識別情報のみを受信したか否かを判定し（Ｓ９６０）、この場合には肯定判定される（Ｓ９６０：Ｙｅｓ）。
すると、制御部１１は、個人情報を個人情報データベース１５から読み出す（Ｓ９７０）。
【００６７】
そして、個人情報データベース１５から読み出したデータを受付用端末装置４０に送信し（Ｓ９８０）、その後Ｓ９９０以下の処理を実行する。
測定処理（図４）に戻り、受付用端末装置４０から送信されたデータの取得処理が正常に実行されていれば（Ｓ４３０：Ｙｅｓ）、以後、複数の測定部２５を用いて複数項目に渡る身体情報の測定を行うことになる。このため、まず、１つ目の測定を行うために、１つ目の測定部２５（体重計等）を選択する（Ｓ４４０）。
【００６８】
そして、測定部２５の準備を行い、準備ができ次第、測定の開始を選択するよう表示部２４に表示させ、（Ｓ４５０）この測定に対する測定開始指令が操作部２３を介して入力されたか否かを判定する（Ｓ４６０）。測定開始指令が入力されていなければ（Ｓ４６０：Ｎｏ）、Ｓ４６０の処理を繰り返す。一方、測定開始指令が入力されていれば（Ｓ４６０：Ｙｅｓ）、この測定部２５を用いた測定を行い（Ｓ４７０）、この測定結果を測定処理部２１のＲＡＭに記憶させる（Ｓ４８０）。
【００６９】
次いで、全ての測定部２５による測定が終了したか否かを判定する（Ｓ４９０）。
全ての測定部２５による測定が終了していなければ（Ｓ４９０：Ｎｏ）、次の測定部２５を選択し（Ｓ５００）、Ｓ４５０からの処理を繰り返す。
【００７０】
一方、全ての測定部２５による測定を終了していれば（Ｓ４９０：Ｙｅｓ）、全ての測定部２５による測定結果を表示部２４に表示させる（Ｓ５１０）。
そして、この測定結果を識別情報と共に管理用コンピュータ１０に送信し（Ｓ５２０）、使用者に受付用端末装置４０の場所に行くよう指示する画像を表示させ（Ｓ５３０）、測定処理を終了する。
【００７１】
ここで、測定処理のＳＳ５２０の処理が実行されると、管理用コンピュータ１０は、管理処理（図６）において、受付用端末装置４０からのアクセスがあったか否かの判定で否定判定され（Ｓ８１０：Ｎｏ）、身体情報測定用器具２０からのアクセスがあったか否かの判定で肯定判定され（Ｓ９５０：Ｙｅｓ）、識別情報のみを受信したか否かの判定で否定判定されることにより（Ｓ９６０：Ｎｏ）、Ｓ９９０の処理に移行する。
【００７２】
そしてこの処理では、測定結果を受信したか否かを判定し（Ｓ９９０）、この場合には肯定判定される（Ｓ９９０：Ｙｅｓ）。
すると、制御部１１は、測定結果と共に受診した識別情報に対応させて、測定結果を個人情報データベース１５に記憶させる（Ｓ１０００）。
【００７３】
そして、後述する運動メニュー生成処理を実行し（Ｓ１０１０）、その後Ｓ１０２０以下の処理を実行する。
次に、前述の受付処理において運動用器具３０ａに行くよう案内された場合には、使用者は運動用器具３０ａが配置された場所に向かうことになる。そして、使用者は、運動用器具３０ａのカード読書部３２に自己のＩＣカードをセットし、所望の運動を開始することになる。
【００７４】
ここで、運動用器具３０ａの運動処理部３１では、図５に示すような処理が実行される。図５は運動処理部３１が実行する運動処理を示すフローチャートである。
図５に示す運動処理では、運動用器具３０ａの電源が投入されているときに定期的に実行される処理であって、まず、Ｓ６１０〜Ｓ６３０にて、図２に示す受付処理と同等の処理を実行する。つまり、カード読書部２２にセットされたＩＣカードに記録された識別情報に基づいて、管理用コンピュータ１０からデータを取得する処理を行う。このとき、運動用器具３０ａのカード読書部３２、操作部３３、表示部３４、通信部３９は、受付処理（図２）のＳ１０〜Ｓ３０における受付用端末装置４０の各部と同様に機能する。
【００７５】
ここで、データ取得処理のＳ３３０の処理が実行されると、管理用コンピュータ１０は、管理処理（図６）において、受付用端末装置４０からのアクセスがあったか否かの判定で否定判定され（Ｓ８１０：Ｎｏ）、身体情報測定用器具２０からのアクセスがあったか否かの判定で否定判定され（Ｓ９５０：Ｎｏ）、さらに運動用器具３０ａからのアクセスがあったか否かの判定で肯定判定されることにより（Ｓ１０２０：Ｙｅｓ）、Ｓ１０３０の処理に移行する。
【００７６】
そしてこの処理では、識別情報のみを受信したか否かを判定し（Ｓ１０３０）、この場合には肯定判定される（Ｓ１０３０：Ｙｅｓ）。
すると、制御部１１は、個人情報を個人情報データベース１５から読み出すと共に、この使用者に推奨する運動メニューを運動メニューデータベース１６から読み出す（Ｓ１０４０）。
【００７７】
そして、各データベース１５，１６から読み出したデータを受付用端末装置４０に送信し（Ｓ１０５０）、その後Ｓ１０６０以下の処理を実行する。
運動処理（図５）に戻り、受付用端末装置４０から送信されたデータの取得処理が正常に実行されていれば（Ｓ６３０：Ｙｅｓ）、取得した運動メニューに基づいて、所定の運動負荷になるよう負荷設定用アクチュエータ３６を駆動・設定すると共に、目標とする運動量を設定する（Ｓ６４０）。
【００７８】
そして、続くＳ６５０〜Ｓ６７０の処理が繰り返し実行され、これらの処理が実行されている間に、使用者によりこの運動用器具３０ａを用いて運動が行われることになる。
使用者による運動中には、使用者が操作部３３を介して終了する旨を入力したか否かを監視する共に（Ｓ６５０）、運動量がＳ６４０の処理にて設定した運動量に到達した否かを監視する（Ｓ６６０，Ｓ６７０）。より具体的には、各運動用器具３０ａ〜３０ｆには、運動量を測定するためのセンサ（器具の種類により回転センサや位置センサ等の異なるセンサ）が装着されており、このセンサから送信される信号を監視する。
【００７９】
使用者により操作部３３を介して終了指令が入力されるか（Ｓ６５０：Ｙｅｓ）、使用者による運動量が設定した運動量に到達したと判定すると（Ｓ６７０：Ｙｅｓ）、運動を終了するよう表示部３４に表示させる（Ｓ６８０）。
【００８０】
そして、使用者が行った運動における運動負荷および運動量の情報を識別情報と共に管理用コンピュータ１０に送信する（Ｓ６９０）。
次いで、カード読書部３２を介してＩＣカードにこの運動用器具３０ａを使用した運動が終了したことを記録し（Ｓ７００）、ＩＣカードに記録された運動メニューに基づいて、使用者が次に使用すべき器具およびその位置を表示し（Ｓ７１０）、運動処理を終了する。
【００８１】
ここで、管理用コンピュータ１０は、管理処理（図６）において、運動負荷および運動量の情報を受信した場合には、受付用端末装置４０からのアクセスがあったか否かの判定（Ｓ８１０：Ｎｏ）、および身体情報測定用器具２０からのアクセスがあったか否かの判定で否定判定される（Ｓ９５０：Ｎｏ）。次いで、運動用器具３０ａからのアクセスがあったか否かの判定で肯定判定され（Ｓ９５０：Ｙｅｓ）、受信したデータが識別情報であるか否かの判定で否定判定されることにより（Ｓ１０３０：Ｎｏ）、Ｓ１０６０の処理に移行する。
【００８２】
そしてこの処理では、運動負荷および運動量の情報を受信したか否かを判定し（Ｓ１０６０）、この場合には肯定判定される（Ｓ１０６０：Ｙｅｓ）。
すると、受信した識別情報に対応させて運動負荷および運動量の情報を現在時刻（年月日および時刻の情報）と共に個人情報データベース１５に記憶させる（Ｓ１０７０）。つまり、この処理では、運動の履歴を個人情報データベース１５に記憶させる。
【００８３】
そして、個人情報データベース１５に記憶された運動の履歴に基づいて、この使用者の１ヶ月間における総運動量を算出し、この算出結果を個人情報データベース１５に記憶させ（Ｓ１０８０）、管理処理を終了する。
【００８４】
なお、この管理処理において、Ｓ１０６０〜Ｓ１０７０の処理は、本発明でいう使用履歴記憶制御手段に相当する。
次に、管理処理（図６）のＳ８７０，Ｓ９３０，Ｓ１０１０における運動メニュー生成処理について図７および図８を用いて説明する。図７は運動メニュー生成処理を示すフローチャート、図８は運動負荷や運動量を決定する際に参照される設定テーブルを示す説明図である。
【００８５】
なお、運動メニュー生成処理は、本発明でいう設定条件記憶制御手段に相当し、特にＳ１４１０〜Ｓ１４２０の処理は、送信手段に相当する。
この運動メニュー生成処理は、個人情報データベース１５に記憶された身体情報に基づいて、使用者に適した運動メニューを生成する処理である。
【００８６】
即ち、この運動メニュー生成処理は、まず、個人情報データベース１５に記憶された使用者の身長および体重のデータに基づいて肥満度を算出する（Ｓ１３１０）。
そして、算出した肥満度と、個人情報データベース１５に記憶された血圧データとを読み出し（Ｓ１３２０）、これらから運動負荷を設定する（Ｓ１３３０）。このとき、図８（ａ）に示すような設定テーブルを参照することにより、肥満度と血圧データとにより一義的に運動負荷の大きさ（Ａ〜Ｅの５段階：ただし、Ａ＞Ｂ＞Ｃ＞Ｄ＞Ｅ）が設定される。
【００８７】
次に、追加フラグがセットされているか否かを判定する（Ｓ１３４０）。
追加フラグがセットされていなければ（Ｓ１３４０：Ｎｏ）、年齢と過去１ヶ月間の総運動量とを個人情報データベース１５から読み出し（Ｓ１３５０）、これらから限界運動量を設定する（Ｓ１３６０）。このとき、図８（ｂ）に示すような設定テーブルを参照することにより、年齢と総運動量とにより一義的に設定運動量および限界運動量（ａ〜ｅの５段階）が設定される。なお、限界運動量とは、使用者にとって推奨する運動量の上限値を示し、例えば、一般的な基礎代謝量に設定テーブルの値（ａ〜ｅの５段階：ただし、ａ＞ｂ＞ｃ＞ｄ＞ｅ）に応じた所定の係数を乗算することにより算出される。また、設定運動量とは、限界運動量よりも常に少ない値（例えば半分程度）に設定され、この設定運動量と一致する運動量の運動コースが設定される。
【００８８】
その後、設定テーブルの値に基づいて、推奨する運動コースを複数選択する（Ｓ１３９０）。なお、これらの運動コースは、設定テーブルの値に基づいて予め複数のコースが設定されている。例えば、自転車タイプの運動用器具と、ベルトの上を歩行または走行するタイプの運動用器具とがあるスポーツジムにおいては、自転車タイプの運動用器具、またはベルトの上を歩行または走行するタイプの運動用器具のみにより設定運動量を消費する運動コース、或いはこれらの運動用器具を組み合わせて設定運動量を消費する運動コース等が推奨の運動コースとして提案される。
【００８９】
そして、これらの推奨する運動コースを、運動メニューデータベース１６に識別情報と共に記憶し（Ｓ１４００）、これらの推奨コースを本文とするメールデータを生成する（Ｓ１４１０）。
【００９０】
そして、生成したメールデータを個人情報データベース１５に記憶された連絡先（ここではメールアドレス）に送信し（Ｓ１４２０）、運動メニュー生成処理を終了する。
一方、Ｓ１３４０の処理にて、追加フラグがセットされていれば（Ｓ１３４０：Ｙｅｓ）、限界運動量から前回決定した設定運動量を減算した運動量を新たに設定運動量として決定し（Ｓ１３８０）、追加フラグをクリアし（Ｓ１３９０）、Ｓ１３９０以下の処理を実行する。
【００９１】
以上のように詳述したスポーツジム内通信システム１においては、複数の使用者により順次操作される被操作装置（身体情報測定用器具２０、運動用器具３０ａ〜３０ｆ、および受付用端末装置４０）に配置され、この被操作装置を使用する各使用者が各々所持し且つ各使用者を特定するための識別情報が記憶されたＩＣカードから使用者の識別情報を読み取るカード読書部２２，３２，４２を備えている。また、被操作装置を使用する各使用者の身体に関する身体情報を記憶した個人情報データベース１５と、身体情報に基づいてこの使用者に適した被操作機器の運動メニュー（操作条件）を一義的に決定するための設定テーブルを記憶した設定テーブルデータベース１７と、各使用者が被操作装置を操作する際の運動メニューを表す操作条件、および各使用者の識別情報を各々対応させて記憶した運動メニューデータベース１６とを備えている。
【００９２】
このスポーツジム内通信システム１において、管理用コンピュータ１０の制御部１１は、運動メニュー生成処理にて、個人情報データベース１５に記憶された身体情報を設定テーブルデータベース１７に記憶された設定テーブルと照合することにより被操作機器の運動メニューを決定し、この決定した運動メニューを運動メニューデータベース１６に記憶する。
【００９３】
また、運動用器具３０ａの運動処理部３１は、運動処理にて、カード読書部２２，３２，４２により識別情報が読み取られると、運動メニューデータベース１６からこの識別情報に対応する操作条件を読み出し、この読み出した操作条件を被操作装置に対して設定する。
【００９４】
即ち、被操作機器は、他の使用者により設定が変更されていたとしても、運動処理Ｓ６１０〜Ｓ６４０はカード読書部２２，３２，４２により識別情報が読み取られると、識別情報に対応して記憶された操作条件を被操作機器に設定する。このとき、被操作機器に設定される操作条件は各使用者の身体情報に基づいて決定される。
【００９５】
従って、このようなスポーツジム内通信システム１によれば、使用者に対応する操作条件を被操作装置に設定することができる。このため使用者は自己が好む動作環境ですぐに被操作機器を使用することができる。
【００９６】
また、被操作機器に対して各使用者の身体の状態に応じて設定を行うので、例えば、使用者の体格や体調に応じて、使用者に過度の負担を掛けないようにすることができる。
また本実施例のスポーツジム内通信システム１においては、カード読書部２２，３２，４２により識別情報が読み取られてから、被操作装置の操作を終了するまでの間における被操作装置の作動状態を記憶する運動処理部３１のＲＡＭを備えており、個人情報データベース１５には、各使用者による被操作機器の使用履歴を記憶するよう構成されている。
【００９７】
また、管理用コンピュータ１０の制御部１１は、管理処理にて、カード読書部２２，３２，４２により識別情報が再度読み取られると、運動処理部３１のＲＡＭに記憶された作動状態、およびカード読書部２２，３２，４２により識別情報が再度読み取られた日時を、識別情報に対応させて、使用履歴として個人情報データベース１５に記憶させる。
【００９８】
従って、このようなスポーツジム内通信システム１によれば、個人情報データベース１５を確認するだけで容易に各使用者による被操作機器の使用履歴を把握することができる。
【００９９】
加えて、本実施例のスポーツジム内通信システム１においては、設定テーブルデータベース１７に記憶された設定テーブルは、個人情報データベース１５に記憶された身体情報と、個人情報データベース１５に記憶された使用履歴と、の組み合わせに基づいて、この使用者に適した被操作機器の運動メニューを決定可能に構成されている。
【０１００】
そして、管理用コンピュータ１０の制御部１１は、運動メニュー生成処理において、個人情報データベース１５に記憶された身体情報と、個人情報データベース１５に記憶された使用履歴と、を設定テーブルデータベース１７に記憶された設定テーブルと照合することにより被操作機器の運動メニューを決定し、この決定した運動メニューを運動メニューデータベース１６に記憶し直す。
【０１０１】
従って、このようなスポーツジム内通信システム１によれば、身体情報と使用履歴とに基づいて運動メニューを決定することができるので、各使用者の体力や筋力の変化に対応した運動メニューとすることができる。
【０１０２】
また、本実施例のスポーツジム内通信システム１において、管理用コンピュータ１０の制御部１１は、運動メニュー生成処理にて、運動メニューが運動メニューデータベース１６に記憶されると、この運動メニューを予め設定された使用者の連絡先に送信する。
【０１０３】
従って、このようなスポーツジム内通信システム１によれば、次回被操作装置に設定される運動メニューを予め使用者に連絡することができるので、使用者は次回被操作装置を使用する際により円滑に被操作装置を使用することができる。
【０１０４】
なお、本発明の実施の形態は、上記の実施形態に何ら限定されることはなく、本発明の技術的範囲に属する限り種々の形態を採りうる。
例えば、本実施例においては、スポーツジム内通信システム１に本発明を適用したが、特にこの構成に限らず、身体に関する身体情報に基づいて使用者に適した操作条件を被操作装置に設定する操作条件設定システムであれば、同様に適用することができる。
【０１０５】
また、本発明は、複数の装置が通信可能に接続されたシステムとしてのみに適用することができるわけでなく、単一の装置にも適用することができる。
【図面の簡単な説明】
【０１０６】
【図１】スポーツジム内通信システムの概略構成を示すブロック図である。
【図２】受付処理を示すフローチャートである。
【図３】受付処理におけるデータ取得処理を示すフローチャートである。
【図４】測定処理を示すフローチャートである。
【図５】運動処理を示すフローチャートである。
【図６】管理処理を示すフローチャートである。
【図７】管理処理における運動メニュー生成処理を示すフローチャートである。
【図８】運動負荷や運動量を決定する際に参照される設定テーブルを示す説明図である。
【符号の説明】
【０１０７】
１…スポーツジム内通信システム、５…通信線、１０…管理用コンピュータ、１１…制御部、１３…操作部、１５…個人情報データベース、１６…運動メニューデータベース、１７…設定テーブルデータベース、１９…通信部、２０…身体情報測定用器具、２１…測定処理部、２２…カード読書部、２３…操作部、２４…表示部、２５…測定部、２６…負荷設定用アクチュエータ、２９…通信部、３０ａ〜３０ｆ…運動用器具、３１…運動処理部、３２…カード読書部、３３…操作部、３４…表示部、３６…負荷設定用アクチュエータ、３９…通信部、４０…受付用端末装置、４１…受付処理部、４２…カード読書部、４３…操作部、４４…表示部、４９…通信部。
【図１】
2007105386.tif 000003
【図２】
2007105386.tif 000004
【図３】
2007105386.tif 000005
【図４】
2007105386.tif 000006
【図５】
2007105386.tif 000007
【図６】
2007105386.tif 000008
【図７】
2007105386.tif 000009
【図８】
2007105386.tif 000010